(57)【要約】      （修正有）【課題】前方の枠内から入る視野、音を捕える被り用具。【解決手段】被り用具は、紙状の不織布で作られた筒部１で、前後は同形の開口部３がある。筒部１は、顔８を前にして頭部６を筒部１の後方の開口部３に嵌め込み、前方の開口部３から入る視野と音を捕える。不織布は、頭部６の天頂８に触れるところは広く、顎１０に触れるところ迄は次第に狭くして、縦横の中心線で折ると相似形になるよう裁断され、不織布の縦長の両先端より中心線に沿って等間隔、同形の円孔を設け、頭部６の大小のサイズの違いに適応するよう、両円孔を合わせて、柔軟性のあるＨ形の留め具４を差し込んで筒部1の大小を調整できるようにした。【選択図】図１
2009219842.tif 000002
【特許請求の範囲】
【請求項１】
紙状の不織布で作られた筒部で、前後に同形の開口部があり、顔を前にして頭部を筒部の後方の開口部に嵌め込み、前方の開口部から入る視野と音を捕えると共に、筒部と頭部の透き間を、風が前から後へ、後から前へ通り過ぎることを特徴とする被り用具。
【請求項２】
請求項１の不織布は、頭部の天頂に触れるところは広く、顎に触れるところ迄は次第に狭くして、縦横の中心線で折ると相似形になるよう裁断され、不織布の縦長の両先端より中心線に沿って等間隔、同形の円孔を設け、頭部の大小のサイズの違いに適応するよう、両円孔を合わせて、柔軟性のあるＨ形の留め具を差し込んで筒部の大小を調整できる特徴をもつ被り用具。
【請求項３】
請求項２の用具の縦長の天頂近くの中心線に、１対の請求項２と同じ留め具を適所に設置し、そこより発するひも部材で、後頭部のへこんだ延髓部近辺に引っ掛けて、用具が頭部から外れて前に落下するのを防ぐことを特徴とする被り用具。
【請求項４】
請求項２の同形の不織布を２枚合わせて、両先端の近辺の円孔の位置を違えて留め具を差し込めば、間隔のある２重の筒部となり、太陽の直射熱の緩和となる特徴の被り用具。
【発明の詳細な説明】
【技術分野】
【０００１】  前方の視聴を目的とする被り用具に関する。
【背景技術】
【０００２】  従来、室内での勉学に除し帽子は、通常被らぬが、耳の聴取力に関しては年を重ねるにしたがい難聴になり、耳に手をあてたり、イヤホーンを使用するようになる。
【発明の開示】
【発明が解決しようとする課題】
【０００３】  勉学に際し、必要ない両脇の視野が入って、勉学に対する集中力を散漫にするので、対策が必要である。【０００４】  年を重ね老人と云われる年代の人達は、難聴になるのは当然と考えられ、耳に手をかざしたり、相手に声を高くしてもらったり、イヤホンで聴取の努力をするが、イヤホンに関しては生理的に嫌ったり、逆に難聴が進行したりする場合があり、人それぞれ統一性が無いのが現実であるので、イヤホンを使用しない人に対して対策が必要である。【０００５】  目的の音を聴取しようとしても、雑音等が四方八方から入り混じって耳に入り、聞きづらいことがあるので対策が必要である。【０００６】  直射日光を避けるため帽子の使用がすすめられているが、夏は蒸れて暑く、少しでも通気性の良く、熱や湿気を防止する優れた機能が求められている。
【課題を解決するための手段】
【０００７】  勉学に勤しむ者は、前方にある教科書等に集中し、それ以外の視野は不必要な場合がある。難聴になりつつあってイヤホンに適さない人が目的の音のみ聴取したい場合がある。直射日光の暑さを緩和したい。以上に対処可能を一つの用具にして提供することである。【０００８】  紙状の不織布で作られた筒部で、前後に同形の開口部を持ち、前後に関係なく顔を前にして頭部を筒部の後方の開口部に嵌め込み、前方の開口部から入る視野と音を捕えることを特徴としている。【０００９】  不織布の筒部が頭部の大小のサイズに適応するよう、両先端中心線に沿って等間隔の円孔を設け、両円孔を合わせて、柔軟性のある留め具を差し込んで筒部の大小を調整できることを特徴としている。【００１０】  用具が頭から外れで前に落下を防ぐため、用具の外側両面の中心線に１対の留め具を適所に設置し、そこより発する合成樹脂の透孔を有するひも部材で、後部のへこんだ延髓部近辺に引っ掛けて、落下を防ぐことを特徴としている。【００１１】  不織布を２枚にして、両先端近くの円孔の位置を違えて留め具を差し込めば、間隔のある２重構造の筒部の被り用具となり、太陽の直射熱の緩和を特徴としている。
【発明の効果】
【００１２】  本発明は、用具の筒部の開口部の前後の形が同形のため、前後を確認することなく、即、顔から嵌め込むことが出来る。【００１３】  本発明は、限定された前方のみの視野であるため、周囲を気にせず勤勉に集中することが出来る。【００１４】  本発明の側面は、耳に入る外音を遮ぎる壁の働きをなし、前方のみの音が入るので、聴力が弱化しつつの人、イヤホンを嫌う人に役に立つ。【００１５】  本発明は、用具と頭部間に透き間があり、風が前から後に、後から前に通り過ぎ用具内の温度と外部の温度に差が生じない。【００１６】  本発明は、筒部を頭部の大小のサイズに合わすため、不織布末端の両円孔の前後の位置に留め具を差し換えながら調節することが出来る。【００１７】  本発明は、太陽の直射熱の緩和のため、同形の不織布２枚の両先端の円孔の位置を違えて留め具を差し込んで、間隔のある２重の筒部を作ることが出来る。【００１８】  本発明は、前方の風に対し、顎に用具の端部が引っ掛かり、飛ばされるのを防ぎ、後方からの風に対しては、ひも部材が後頭部のへこんだ延髓部に引っ掛かるので、飛ばされることを防ぐ役目を持っている。
【発明を実施するための最良の形態】
【００１９】  図１、図２は、本発明の実施の形態を示すものであり、紙状の不織布２で作られた筒部１で、前後に同形の開口部３があり、顔９を前にして頭部６を筒部１の後方の開口部３に嵌め込み、前方の開口部３から入る視野と音を捕えると共に、筒部１と頭部６の透き間を風が前から後へ、後から前へ通り過ぎる構造となっている。【００２０】  図３は不織布の展開図で、頭部６の天項８に触れるところは広く、顎１０に触れるところ迄次第に狭くして、横中心線Ｆで折ると、両端部ＨとＨ′、丸孔ＡＡ′、ＢＢ′、ＣＣ′、ＤＤ′、ＥＥ′は、２枚重ねの一致した相似形となり、縦中心線Ｇで折ると相似形を２枚重ねた状態となる。【００２１】  図３の不織布２の丸孔ＢＢ′を合わせて、Ｈ形の留め具４を差し込んで、図２の如く円形状にして、頭部６を嵌め込む状態となるが、頭部６のサイズに合わぬ場合は、丸孔ＡＡ′、ＣＣ′、ＤＤ′に変更して調節する。【００２２】  不織布２の丸孔Ｅ、Ｅ′に留め具４を差し込んで、そこより発するひも部材５で、後頭部７のへこんだ延髓部近辺に引っ掛けて、用具１１が頭部６から外れて前に落ちるのを防いでいる。【００２３】  図５のひも部材５の材質は、合成樹脂の柔軟性があり透孔を有する部材で、末端５Ａ近くの透孔と円孔Ｅ、５Ｂ′近くの透孔と円孔Ｅ′を留め具４でそれぞれ通して、ひも部材５の長さを調節する。【００２４】  図４は不織布２の円孔Ｃ、Ｃ′の上に別の同形の不織紙２の円孔Ｂ、Ｂ′を重ねて、留め具４を差し込むと間隔のある２重構造の筒部１となり、太陽の直射熱緩和の働きをする。
【図面の簡単な説明】
【００２５】
【図１】被り用具を頭に着用した斜視図である。
【図２】正面より頭部に被り用具を着用して、隙間が存在していることを示している図である。
【図３】不織布の展開図である。
【図４】不織布２枚で２重構造の筒部の状態を示す図である。
【図５】ひも部材の構造とＨ形に差し込んだ状態を示す図である。
【符号の説明】
【００２６】  １    筒部
２    不織布
３    開口部
４    Ｈ形の留め具
５    ひも部材
５Ａ、５Ｂ    ひも部材の両端
６    頭部
７    後頭部
８    天頂
９    顔
１０  顎
１１  被り用具
Ａ、Ａ′、Ｂ、Ｂ′、Ｃ、Ｃ′、Ｄ、Ｄ′、Ｅ、Ｅ′    円孔
Ｆ    天頂横中心線
Ｇ    縦中心線
Ｈ    端部
【図１】
2009219842.tif 000003
【図２】
2009219842.tif 000004
【図３】
2009219842.tif 000005
【図４】
2009219842.tif 000006
【図５】
2009219842.tif 000007